(57)【要約】【課題】  製造コストを低く抑えることができるメジャーおよびメジャーの製造方法を提供する。【解決手段】  メジャー１０は、長さを計測するものであり、長尺帯状のシート２０と、シート２０の長さ方向に沿ってシート２０に印字され、長さを表す表示３０と、を有する。表示３０は、感熱発色方式、熱転写方式またはインクジェット方式により、シート２０の一側の面に電子プリンタで印字される。これにより、太い版胴を用いることなく、メジャー１０を低コストで製造することができる。【選択図】  図１
2014149163.tif 000002
【特許請求の範囲】
【請求項１】
長さを計測するメジャーであって、
長尺帯状のシートと、
前記シートの長さ方向に沿って前記シートに電子プリンタで印字され、長さを表す表示と、
を有することを特徴とするメジャー。
【請求項２】
前記シートは、紙またはフィルムで構成される基材を有することを特徴とする請求項1に記載のメジャー。
【請求項３】
前記シートは、前記表示が印字される感熱発色層を前記基材の一側の面に有することを特徴とする請求項２に記載のメジャー。
【請求項４】
長さを計測するメジャーの製造方法であって、
長尺帯状のシートを形成するシート形成工程と、
電子プリンタを用い、前記シートの長さ方向に沿って、長さを表す表示を前記シートに印字する表示印字工程と、
を含むことを特徴とするメジャーの製造方法。
【請求項５】
前記表示印字工程では、感熱発色方式、熱転写方式またはインクジェット方式により、前記シートに前記表示を印字することを特徴とする請求項４に記載のメジャーの製造方法。
【発明の詳細な説明】
【技術分野】
【０００１】
本発明は、メジャーおよびメジャーの製造方法に関する。
【背景技術】
【０００２】
身体測定、土木工事や建設現場の測量、各種競技の計測等に、長尺帯状のシートへ目盛線や文字を印刷したメジャーが使われている（例えば、特許文献１参照。）。一般に、この種のメジャーは、印刷機の版胴に目盛の版を巻き付け、版をシートに押し付けることで、目盛線や文字を印刷している。
【０００３】
ところで、胸囲測定などで用いるメジャーは、衛生上の観点から、複数の受診者に対して同じものを使い廻しせず、各受診者に対して新しいものを用いることが望ましい。このため、使い捨てに適した安価なメジャーが要望されている。
【先行技術文献】
【特許文献】
【０００４】
【特許文献１】特開２００２−４８５０１号公報
【発明の概要】
【発明が解決しようとする課題】
【０００５】
しかしながら、印刷機でメジャーの目盛線や文字を印刷するには、メジャーの長さに応じた外周を有する太い版胴が必要である。例えば、メジャーの長さが１２０ｃｍ程度である場合、版胴の直径が４０ｃｍ程度になり、大型で高価な印刷機が必要であった。このため、製造コストが高くなって使い捨て等の上記要望に応えることができなかった。
【０００６】
そこで、本発明は、このような事情に鑑みてなされたものであり、その目的は、製造コストを低く抑えることができるメジャーおよびメジャーの製造方法を提供することにある。
【課題を解決するための手段】
【０００７】
このような目的を達成するため、本発明は、以下の構成によって把握される。
（１）本発明のメジャーは、長さを計測するメジャーであって、長尺帯状のシートと、前記シートの長さ方向に沿って前記シートに電子プリンタで印字され、長さを表す表示と、を有することを特徴とする。
【０００８】
この構成によれば、長尺帯状のシートに電子プリンタで表示を印字するので、従来のような太い版胴を備えた大型の印刷機が不要であり、小型の電子プリンタを用いて、低コストでメジャーを製造することができる。結果、安価なメジャーを得ることができる。
【０００９】
（２）本発明のメジャーでは、（１）の構成において、前記シートは、紙またはフィルムで構成される基材を有することを特徴とする。
【００１０】
この構成によれば、紙またはフィルムで基材が構成されるシートを用いて、安価なメジャーを得ることができる。
【００１１】
（３）本発明のメジャーでは、（２）の構成において、前記シートは、前記表示が印字される感熱発色層を前記基材の一側の面に有することを特徴とする。
【００１２】
この構成によれば、ランニングコストの低い感熱発色方式によって表示を印字することができるので、より安価なメジャーを得ることができる。
【００１３】
（４）本発明のメジャーの製造方法は、長さを計測するメジャーの製造方法であって、長尺帯状のシートを形成するシート形成工程と、電子プリンタを用い、前記シートの長さ方向に沿って、長さを表す表示を前記シートに印字する表示印字工程と、を含むことを特徴とする。
【００１４】
この構成によれば、長尺帯状のシートに電子プリンタで表示を印字するので、従来の太い版胴を有する大型の印刷機が不要であり、小型の電子プリンタを用いて、低コストでメジャーを製造することができる。その結果、安価なメジャーを得ることができる。
【００１５】
（５）本発明のメジャーの製造方法は、（４）の構成において、前記表示印字工程では、感熱発色方式、熱転写方式またはインクジェット方式により、前記シートに前記表示を印字することを特徴とする。
【００１６】
この構成によれば、版を用いた印刷ではなく、感熱発色方式、熱転写方式またはインクジェット方式を用いて、安価なメジャーを得ることができる。
【発明の効果】
【００１７】
本発明によれば、コストを低く抑えてメジャーを製造可能であり、安価なメジャーを提供することができる。
【図面の簡単な説明】
【００１８】
【図１】本発明のメジャーの正面図である。
【図２】図１のＡ−Ａ線断面図であり、（ａ）および（ｂ）は感熱発色層を備えるシートの例を示す図、（ｃ）および（ｄ）は基材のみで構成されるシートの例を示す図である。
【図３】本発明のメジャーの製造方法を説明するフロー図である。
【図４】電子プリンタおよび表示印字工程を説明する図である。
【発明を実施するための形態】
【００１９】
以下、添付図面を参照して、本発明を実施するための形態（以下、「実施形態」と称する。）について詳細に説明する。実施形態の説明の全体を通して同じ要素には同じ番号を付している。
【００２０】
（メジャー１０の全体構成）
まず、実施形態のメジャー１０の全体構成を図１に基づいて説明する。
図１に示すように、メジャー１０は、胸囲や腹囲などの長さを計測するものであり、長尺帯状で且つ可撓性を有するシート２０と、任意の電子プリンタでシート２０の長さ方向に沿ってシート２０の一側の面に印字される表示３０とを有する。表示３０は、１ｍｍ刻み、５ｍｍ刻みおよび１０ｍｍ刻みで印字される目盛線３１と、長さの数値を示す文字３２とからなり、ここでは、０〜１２０ｃｍまでの長さを表している。
【００２１】
なお、メジャー１０は、例えば、身体測定で使用される使い捨てタイプのメジャーに好適であるが、用途は任意である。また、メジャー１０の長さ、幅、表示３０の内容は、この例に格別に限定されるものではなく、求められる仕様に応じて任意に設定可能である。
【００２２】
（シート２０の層構成）
次に、シート２０の層構成の例を図２に基づいて説明する。
図２は、図１のＡ−Ａ線断面図であり、（ａ）および（ｂ）は感熱発色層を備えるシートの例を示す図、（ｃ）および（ｄ）は基材のみで構成されるシートの例を示す図である。
【００２３】
以下の説明では、シート２０の符号に「Ａ」〜「Ｄ」を後続させることにより、層構成の異なる４種類のシートを区別する。但し、これらシート２０Ａ〜２０Ｄを纏めて称する場合には、「シート２０」と記載する。
【００２４】
図２（ａ）に示すように、シート２０Ａは、紙で構成される基材２１と、この基材２１の一側の面に積層される感熱発色層２３とを有するサーマル紙である。基材２１には、例えば、上質紙、コート紙、アート紙などを用いることができる。感熱発色層２３は、熱により感熱発色する層であり、感熱発色層２３には、サーマルプリンタを用いた感熱発色方式により、表示３０が印字される。
【００２５】
また、図２（ｂ）に示すように、シート２０Ｂでは、図２（ａ）に示した紙製の基材２１の代わりに、フィルムで構成される基材２２を用い、この基材２２の一側の面に感熱発色層２３を積層する。基材２２には、例えば、ＰＥＴ（ポリエチレンテレフタレート）、ＰＥ（ポリエチレン）、ＰＰ（ポリプロピレン）、ＰＳ（ポリスチレン）を素材とした合成樹脂フィルムを用いることができる。これらを積層した複合シートでも良い。
【００２６】
また、図２（ｃ）に示すように、紙製の基材２１のみで、シート２０Ｃを構成してもよい。この場合、熱転写方式またはインクジェット方式により、基材２１の一側の面に表示３０を印字することが好適である。
【００２７】
さらに、図２（ｄ）に示すように、フィルム製の基材２２のみで、シート２０Ｄを構成してもよい。この場合においても、熱転写方式またはインクジェット方式により、基材２２の一側の面に表示３０を印字することが好適である。
【００２８】
（メジャー１０の製造方法）
次に、メジャー１０の製造方法の一例を図３、図４に基づいて説明する。
図３は、メジャー１０の製造方法を説明するフロー図である。図４は、電子プリンタ４０および表示印字工程を説明する図である。なお、本発明は、この製造方法に限定されるものではない。
【００２９】
図３に示すように、メジャー１０の製造方法は、シート形成工程（ステップＳ１）と、表示印字工程（ステップＳ２）とを含む。
【００３０】
シート形成工程では、紙やフィルムなどの素材を所望の幅と長さにスリットして巻取り、シート２０の原反であるシート連続体４６（図４参照）を形成する。次に、表示印字工程では、シート連続体４６（図４参照）に表示３０を印字した後、シート連続体４６（図４参照）を所定の長さに切断して、メジャー１０を得る。
【００３１】
この表示印字工程をより詳しく説明する。
図４に示すように、表示印字工程では、電子プリンタ４０を用いる。この電子プリンタ４０は、サーマルプリンタであり、シート供給部４１と印字部４２を筐体４３内に設けたものである。
【００３２】
シート供給部４１は、軸４５を有し、この軸４５には、シート連続体４６を巻いたシートロール４７が回転可能に支持されている。また、シート連続体４６の走行経路に沿って、ガイドバー４８、シート連続体４６の有無を検知するシートセンサ５１、シート連続体４６の長さ方向の位置を検出する位置センサ５２が設けられる。位置センサ５２は、シート連続体４６の表面や裏面に予め一定のピッチでタイミングマーク（不図示）を設けてある場合にそのマークを検出し、印字の起点を定めるために用いる。
【００３３】
印字部４２は、位置センサ５２の下流に設けられるプラテンローラ５３と、このプラテンローラ５３との間でシート連続体４６を挟持するサーマルヘッド５５とからなる。印字部４２の下流には、カッタユニット５６が設けられ、筐体４３には、カッタユニット５６に隣接する取り出し口５７が設けられる。
【００３４】
電子プリンタ４０では、プラテンローラ５３が回転すると、シートロール４７から繰り出されたシート連続体４６が、ガイドバー４８、シートセンサ５１、位置センサ５２を経て、印字部４２に至る。印字部４２では、サーマルヘッド５５の発熱走査により、シート連続体４６の感熱発色層２３（図２（ａ）および（ｂ）参照）に表示３０（図１参照）の画像が印字される。印字が行なわれたシート連続体４６は、カッタユニット５６により所定の位置でカットされ、これにより、所定の長さにカットされたメジャー１０（図１参照）が取り出し口５７から取り出される。
【００３５】
様々な用途や長さのメジャーを製造するには印字する画像データを変えれば良い。例えば、内装工事用には長さ５ｍのメジャーを作り、身体計測用として大人用１２０ｃｍ、子供用１００ｃｍとするなど長さも任意である。
【００３６】
なお、ここでは、サーマルプリンタを用いた感熱発色方式により、シート連続体４６に表示３０（図１参照）を印字する例を示したが、印字方式は、感熱発色方式に格別に限定されるものではなく、熱転写リボンを用いた熱転写方式、または、インクジェットプリンタを用いたインクジェット方式など、各種の方式から選択可能である。
【００３７】
（実施形態の効果）
以上、説明したメジャー１０およびその製造方法の効果について述べる。
本実施形態によれば、長尺帯状のシート２０（より具体的には、シート連続体４６）に電子プリンタ４０で表示３０を印字するので、従来の太い版胴が不要であり、小型の電子プリンタ４０を用いて、低コストでメジャー１０を製造することができる。結果、安価なメジャー１０を得ることができる。
【００３８】
また、紙製の基材２１またはフィルム製の基材２２で構成されるシート２０を用いて、安価なメジャー１０を得ることができる。
【００３９】
さらに、感熱発色層２３を有するシート２０を用い、熱転写リボンが不要でランニングコストの低い感熱発色方式により表示３０を印字することで、より安価なメジャー１０を得ることができる。
【００４０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００４１】
例えば、実施形態では、紙製の基材２１またはフィルム製の基材２２でシート２０を構成したが、本発明にいう「シート」は、紙とフィルムを組み合わせたものでもよい。
【符号の説明】
【００４２】
１０    メジャー
２０    シート
２０Ａ  シート
２０Ｂ  シート
２０Ｃ  シート
２０Ｄ  シート
２１    基材
２２    基材
２３    感熱発色層
３０    表示
４０    電子プリンタ
【図１】
2014149163.tif 000003
【図２】
2014149163.tif 000004
【図３】
2014149163.tif 000005
【図４】
2014149163.tif 000006